(57)【要約】【課題】  印刷操作を煩雑にすることなく、電子メール情報と、電子メールに添付されたディジタル画像情報とを同時に閲覧可能とする。【解決手段】  電子メールの送受信機能を有する情報機器と有線又は無線で通信接続を行う接続手段２０９と、情報機器が受信した電子メールに添付されたディジタル画像と、当該電子メールに係る電子メール情報とを受信する送受信手段２１１と、送受信手段２１１で受信した、ディジタル画像と電子メール情報とを合成する合成手段２１２と、合成手段２１２で合成された合成画像を視認可能に記録紙に印刷する印刷手段２０８とを有するようにする。【選択図】  図２
2006341569.tif 000002
【特許請求の範囲】
【請求項１】
電子メールの送受信機能を有する情報機器と有線又は無線で通信接続を行う情報機器接続手段と、
前記情報機器が受信した電子メールに添付されたディジタル画像と、当該電子メールに係る電子メール情報とを受信する受信手段と、
前記受信手段で受信した、前記ディジタル画像と前記電子メール情報とを合成する合成手段と、
前記合成手段で合成された合成画像を視認可能に記録紙に印刷する印刷手段と
を有することを特徴とするプリンタ装置。
【請求項２】
ネットワークに接続するネットワーク接続手段と、
電子メールの送受信機能を有する情報機器と有線又は無線で通信接続を行う情報機器接続手段と、
前記情報機器が受信した電子メールに係る電子メール情報と、当該電子メールに記述されたリンク情報とを受信する受信手段と、
前記リンク情報に基づいて前記ネットワークを介してサーバー装置からディジタル画像を取得する取得手段と、
前記取得手段で取得した前記ディジタル画像と、前記電子メール情報とを合成する合成手段と、
前記合成手段で合成された合成画像を視認可能に記録紙に印刷する印刷手段と
を有することを特徴とするプリンタ装置。
【請求項３】
電子メールの送受信機能を有する情報機器と有線又は無線で通信接続を行う情報機器接続手段と、
前記情報機器において、受信した電子メールに添付されたディジタル画像と、当該電子メールに係る電子メール情報とを合成した合成画像を前記情報機器から受信する受信手段と、
前記受信手段で受信した合成画像を視認可能に記録紙に印刷する印刷手段と
を有することを特徴とするプリンタ装置。
【請求項４】
電子メールの送受信機能を有する情報機器と有線又は無線で通信接続を行う情報機器接続手段と、
前記情報機器において、受信した電子メール情報と、当該電子メールに記述されたリンク情報に基づいてネットワークを介してサーバー装置から取得したディジタル画像画像とを合成した合成画像を前記情報機器から受信する受信手段と、
前記受信手段で受信した合成画像を視認可能に記録紙に印刷する印刷手段と
を有することを特徴とするプリンタ装置。
【請求項５】
前記電子メール情報及び前記ディジタル画像情報の中から、印刷対象とする情報を選択する選択手段を更に有し、
前記合成手段は、前記選択手段で選択された前記印刷対象とする情報に基づいて前記合成処理を行うことを特徴とする請求項１又は２に記載のプリンタ装置。
【請求項６】
前記電子メール情報のうち、印刷対象とする電子メール情報を選択する電子メール情報選択手段を更に有し、
前記合成手段は、前記電子メール情報選択手段で選択された電子メール情報に基づいて前記合成処理を行うことを特徴とする請求項１又は２に記載のプリンタ装置。
【請求項７】
前記電子メール情報は、前記電子メールの送信者又は受信者の名前、メールアドレス、件名、本文、日時の情報のうち、少なくともいずれかであることを特徴とする請求項１〜４のいずれか１項に記載のプリンタ装置。
【請求項８】
前記合成画像を合成する際に用いるレイアウト情報を前記情報機器から受信し、
前記合成手段は、前記レイアウト情報に基づいて前記合成処理を行うことを特徴とする請求項１又は２に記載のプリンタ装置。
【請求項９】
前記合成画像を合成する際に用いるレイアウト情報を記憶するレイアウト情報記憶手段を更に有し、
前記合成手段は、前記レイアウト情報に基づいて前記合成処理を行うことを特徴とする請求項１又は２に記載のプリンタ装置。
【請求項１０】
前記レイアウト情報の１つは、位置、色彩、色調及び濃度のうちいずれか、又は、それらのうちの１つ以上を含むテンプレートであることを特徴とする請求項８又は９に記載のプリンタ装置。
【請求項１１】
前記レイアウト情報の中から、前記電子メール情報と前記ディジタル画像情報とを合成する際に使用するレイアウト情報を選択するレイアウト情報選択手段を更に有し、
前記合成手段は、前記レイアウト情報選択手段で選択されたレイアウト情報に基づいて前記合成処理を行うことを特徴とする請求項８又は９に記載のプリンタ装置。
【請求項１２】
前記印刷手段による前記合成画像の印刷処理が終了した後に、当該合成画像に係る前記ディジタル画像を削除するコマンドを前記情報機器に対して送信する削除手段を更に有することを特徴とする請求項１〜４のいずれか１項に記載のプリンタ装置。
【請求項１３】
前記合成画像を複数有しており、
前記印刷手段は、前記複数の合成画像をインデックス印刷することを特徴とする請求項１〜４のいずれか１項に記載のプリンタ装置。
【発明の詳細な説明】
【技術分野】
【０００１】
本発明は、電子メールの送受信機能を有する情報機器と有線又は無線で通信接続を行うプリンタ装置に関する。
【背景技術】
【０００２】
近年、携帯電話に代表されるように、ディジタル画像情報を送受信可能な情報機器が急速に普及しつつある。特に、電子メールにディジタル画像情報を添付して送信すると、受信側情報機器の表示画面で電子メールに添付されたディジタル画像情報を映し出せるタイプの情報機器の普及が目覚しい。
【０００３】
上述のタイプの情報機器の中には、添付ファイルと称して、実際には電子メールの本文中にディジタル画像へのリンク先を示すリンク情報が記述されており、受信側情報機器から受信メール中のリンク情報に基づいてサーバー装置からディジタル画像情報を取得し、そのディジタル画像情報を表示画面に映し出すというタイプの携帯電話もある。
【０００４】
また、このタイプの携帯電話に関して、携帯電話のメモリに格納されているユーザー情報や受信した電子メール情報を印刷するプリンタ装置が知られている（例えば、特許文献１参照）。このようなプリンタ装置を用いることにより、受信した電子メール情報を印刷することができる。
【０００５】
また、受信した電子メールに添付されたディジタル画像情報を印刷するプリンタ装置が知られている（例えば、特許文献２参照）。このようなプリンタ装置を用いることにより、携帯電話で受信した電子メールに添付されたディジタル画像情報を表示画面で映し出すだけでなく、そのディジタル画像情報を印刷することができる。
【０００６】
また、ネットワークにアクセスするアクセス手段を有するプリンタ装置を備えて、サーバー装置から送信されてきた印刷用データに記述される他のデータへのリンク先を示すリンク情報に基づいて、当該他のデータをサーバー装置に要求する印刷システムが知られている（例えば、特許文献３参照）。このような印刷システムでは、パソコンなどの高価な情報処理装置を用いることなく、携帯電話などの携帯端末を利用してそれに接続可能なプリンタ装置や、ＦＡＸ端末などを用いて印刷し、詳細な情報の入手ができる。
【０００７】
【特許文献１】特開２０００−３１８２７２号公報
【特許文献２】特開２００１−２４５０２８号公報
【特許文献３】特開２００３−１５８３３号公報
【発明の開示】
【発明が解決しようとする課題】
【０００８】
しかしながら、上述した従来のプリンタ装置では、電子メール情報や、当該電子メールに添付されたディジタル画像情報をそれぞれ印刷することはできるものの、電子メール情報とディジタル画像情報とを同時に印刷することができなかった。このため、電子メール情報とディジタル画像情報とを印刷したい場合、印刷操作が煩雑になるという問題があった。
【０００９】
また、従来のプリンタ装置では、電子メール情報とディジタル画像情報とを合成して印刷することができなかった。このため、電子メール情報とディジタル画像情報の両方の情報を同時に閲覧することができず、ユーザのストレスになるという問題があった。
【００１０】
本発明は上述の問題点に鑑みてなされたものであり、印刷操作を煩雑にすることなく、電子メール情報（送信者又は受信者の名前、日時、件名、本文、メールアドレスなど）と、電子メールに添付されたディジタル画像情報とを同時に閲覧可能なプリンタ装置を提供することを目的とする。
【課題を解決するための手段】
【００１１】
本発明のプリンタ装置は、電子メールの送受信機能を有する情報機器と有線又は無線で通信接続を行う情報機器接続手段と、前記情報機器が受信した電子メールに添付されたディジタル画像と、当該電子メールに係る電子メール情報とを受信する受信手段と、前記受信手段で受信した、前記ディジタル画像と前記電子メール情報とを合成する合成手段と、前記合成手段で合成された合成画像を視認可能に記録紙に印刷する印刷手段とを有する。
【００１２】
本発明のプリンタ装置の他の態様は、ネットワークに接続するネットワーク接続手段と、電子メールの送受信機能を有する情報機器と有線又は無線で通信接続を行う情報機器接続手段と、前記情報機器が受信した電子メールに係る電子メール情報と、当該電子メールに記述されたリンク情報とを受信する受信手段と、前記リンク情報に基づいて前記ネットワークを介してサーバー装置からディジタル画像を取得する取得手段と、前記取得手段で取得した前記ディジタル画像と、前記電子メール情報とを合成する合成手段と、前記合成手段で合成された合成画像を視認可能に記録紙に印刷する印刷手段とを有する。
【００１３】
また、本発明のプリンタ装置のその他の態様は、電子メールの送受信機能を有する情報機器と有線又は無線で通信接続を行う情報機器接続手段と、前記情報機器において、受信した電子メールに添付されたディジタル画像と、当該電子メールに係る電子メール情報とを合成した合成画像を前記情報機器から受信する受信手段と、前記受信手段で受信した合成画像を視認可能に記録紙に印刷する印刷手段とを有する。
【００１４】
また、本発明のプリンタ装置のその他の態様は、電子メールの送受信機能を有する情報機器と有線又は無線で通信接続を行う情報機器接続手段と、前記情報機器において、受信した電子メール情報と、当該電子メールに記述されたリンク情報に基づいてネットワークを介してサーバー装置から取得したディジタル画像画像とを合成した合成画像を前記情報機器から受信する受信手段と、前記受信手段で受信した合成画像を視認可能に記録紙に印刷する印刷手段とを有する。
【発明の効果】
【００１５】
本発明によれば、情報機器が受信した電子メールに添付されたディジタル画像と、当該電子メールに係る電子メール情報（送信者又は受信者の名前、日時、件名、本文、メールアドレスなど）とを合成し、当該合成画像を印刷するようにしたので、印刷操作を煩雑にすることなく、電子メール情報と、電子メールに添付されたディジタル画像情報とを同時に閲覧することが可能なプリンタ装置を提供することができる。
【００１６】
また、本発明によれば、情報機器が受信した電子メールに係る電子メール情報と、当該電子メールに記述されたリンク情報とを受信し、リンク情報に基づいてネットワークを介してサーバー装置からディジタル画像を取得し、受信したディジタル画像と取得したディジタル画像とを合成して、当該合成画像を印刷するようにしたので、印刷操作を煩雑にすることなく、電子メール情報と、電子メールに添付されたディジタル画像情報とを同時に閲覧することが可能なプリンタ装置を提供することができる。
【００１７】
また、本発明によれば、情報機器において、受信した電子メールに添付されたディジタル画像と、当該電子メールに係る電子メール情報とを合成した合成画像を情報機器から受信し、当該合成画像を印刷するようにしたので、印刷操作を煩雑にすることなく、電子メール情報と、電子メールに添付されたディジタル画像情報とを同時に閲覧することが可能なプリンタ装置を提供することができる。
【００１８】
また、本発明によれば、印刷対象とする電子メール情報（送信者又は受信者の名前、日時、件名、本文、メールアドレスなど）を選択するようにしたので、ユーザは所望の電子メール情報とディジタル画像との合成画像を印刷することが可能になる。
【００１９】
また、本発明によれば、電子メール情報（送信者又は受信者の名前、日時、件名、本文、メールアドレスなど）とディジタル画像を合成する際のレイアウト情報を保持、又は、レイアウト情報を取得することによって、ユーザーはレイアウトを意識したり、画像を編集したりなどすることなく、簡単に適正レイアウト位置に、電子メール情報とディジタル画像情報とを合成した合成画像の印刷を行うことができる。さらに、レイアウト情報を選択できるようにしたので、ユーザーは電子メール情報とディジタル画像情報とを所望のレイアウト位置に合成した合成画像の印刷を行うことが可能となる。
【００２０】
また、本発明によれば、複数の電子メール情報とディジタル画像情報を合成し、その結果得られた複数の合成画像をインデックス印刷するようにしたので、電子メール情報とディジタル画像情報との合成画像を一覧で閲覧することができる。
【００２１】
また、本発明によれば、印刷済みのディジタル画像を情報機器のメモリから削除できるようにしたので、情報機器のメモリ容量の負荷を軽減させることができる。
【発明を実施するための最良の形態】
【００２２】
以下、本発明に係る実施形態を図面を参照して詳細に説明する。
【００２３】
（第１の実施形態）
図１は、本発明の第１の実施形態に係るプリンタ装置を含む印刷システムの概略構成図である。本実施形態のプリンタ装置として、インクジェットプリンタを例にして説明するが、本発明においてはインクジェットプリンタに限定されるものではなく、レーザープリンタなど他のプリント方式のプリンタ装置でもよい。また、メール送受信機能を有する情報機器として、携帯電話装置を例にして説明するが、本発明においては携帯電話装置に限定されるものではなく、ＰＤＡなど他の通信装置でもよい。
【００２４】
図１に示すように、印刷システムは、印刷処理を行うプリンタ装置１と、メール送受信機能を有する携帯電話装置２と、情報の保管や入出力、通信制御などを提供するサーバー装置５と、プリンタ装置１と携帯電話装置２とを接続するケーブル３と、プリンタ装置１とサーバー装置５とを接続するネットワークケーブル４とを備えて構成されている。
【００２５】
プリンタ装置１は、入出力端子部１０５において、ケーブル３を介して携帯電話装置２とデータの送受信を行う。また一方では、プリンタ装置１は、ネットワークケーブル４を介してサーバー装置５とデータの送受信を行う。なお、プリンタ装置１と携帯電話装置２との接続は、ケーブル３による有線接続に限定されるものではなく、Ｂｌｕｅｔｏｏｔｈなどの無線接続でもよい。
【００２６】
プリンタ装置１の表示部１０１には、携帯電話装置２から受信した電子メール情報や当該電子メールに添付されるディジタル情報等が表示される。また、これらの情報は、キー入力部１０２において入力された入力情報に応じて、印刷部において紙搬送部１０３より搬送される記録紙に視認可能に印刷されて、当該記録紙が排紙部１０４から排紙される。
【００２７】
携帯電話装置２は、表示部１０６、キー入力部１０７、アンテナ１０８及び入出力端子部１０９を備えて構成されており、内部に各回路部を格納している。なお、キー入力部１０７は、一般の携帯電話装置が備えるテンキー、オフフックボタン、オンフックボタン、メニューキー等の他、電子メールの送受信に関する機能キーを有している。この機能キーには、ディジタル画像情報を外部機器に出力するためのデータ出力キーも含まれている。また、携帯電話装置２のアンテナ１０８は、一般の電話通話機能、電子メール送受信機能を実現し、入出力端子部１０９は、プリンタ装置２へのデータ入出力機能などを実現する。
【００２８】
図２は、本発明の第１の実施形態に係るプリンタ装置の概略構成を示すブロック図である。
図２において、ＣＰＵ２０１は、プリンタ装置１の制御ユニットの全制御を行うための演算・制御を行う。ＲＡＭ２０２は、ＣＰＵ２０１が各プログラムを実行する際のワークエリアや、ラスタ記録部として機能する。電源スイッチ（電源ＳＷ）２０３は、プリンタ装置１への電源供給のオン／オフをするものである。表示手段２０４は、液晶（ＬＣＤ）から構成される。画像出力部２０５は、プリンタエンジン部に対して画像データを出力する。入力部２０６は、操作者からの入力情報を受け付けるものである。印刷制御部２０７は、印刷部２０８を制御する。印刷部２０８は、ディジタル情報を視認可能に記録紙に印刷する。
【００２９】
接続手段２０９は、携帯電話装置２との通信接続を行う。ネットワーク接続手段２１８は、ネットワークとの通信接続を行う。プログラムＲＯＭ２１０には、プログラムとして送受信手段２１１、合成手段２１２、電子メール情報選択手段２１３、レイアウト情報選択手段２１４、レイアウト情報２１５、レイアウト手段２１６、ネットワークアクセス手段２１７、ディジタル画像情報削除手段２１９が構成されて記録されている。
【００３０】
図３は、本発明の第１の実施形態に係るプリンタ装置の動作を示すフローチャートである。
まず、ステップＳ３０１では、プリンタ装置１において、携帯電話装置２より電子メール情報、例えば、送信者の名前、受信者の名前、送信日時、受信日時、送信者のメールアドレス、受信者のメールアドレス、件名、本文などを受信して、ＲＡＭ２０２に格納する。
【００３１】
続いて、ステップＳ３０２では、前記電子メールに添付されたディジタル画像情報を受信し、ＲＡＭ２０２に格納する。
【００３２】
続いて、ステップＳ３０３では、ステップＳ３０１においてＲＡＭ２０２に格納された電子メール情報と、ステップＳ３０２においてＲＡＭ２０２に格納されたディジタル画像情報とを、表示手段２０４によって液晶（ＬＣＤ）に表示する。
【００３３】
図４は、表示手段２０４による表示例を示した図である。
図４には、電子メールの件名４０１と、電子メールの本文４０２と、送信者の名前４０３と、送信者のメールアドレス４０４と、電子メールの受信日時４０５と、電子メールに添付されたディジタル画像４０６とが示されている。
【００３４】
続いて、ステップＳ３０４では、電子メール情報選択手段２１３によって選択された電子メール情報と、ステップＳ３０２でＲＡＭ２０２に格納されたディジタル画像情報とを合成手段２１２によって合成し、当該合成画像（合成情報）を画像出力部２０５によってＲＡＭ２０２に格納する。
【００３５】
続いて、ステップＳ３０５では、印刷制御部２０７を介して印刷部２０８を駆動し、予備吐出、目詰まり解消、ノズルの回復などを行い、ステップＳ３０４においてＲＡＭ２０２に記憶された合成画像（合成情報）を印刷する。
【００３６】
続いて、ステップＳ３０６では、印刷部２０８で印刷された記録紙を排紙部１０４から排出する。
【００３７】
以上のステップＳ３０１〜ステップＳ３０６までの処理を経ることにより、第１の実施形態に係るプリンタ装置の動作が終了する。
【００３８】
（第２の実施形態）
図５は、本発明の第２の実施形態に係るプリンタ装置の動作を示すフローチャートである。
まず、ステップＳ５０１では、プリンタ装置１において、携帯電話装置２より電子メール情報、例えば、送信者の名前、受信者の名前、送信日時、受信日時、送信者のメールアドレス、受信者のメールアドレス、件名、本文などを受信して、ＲＡＭ２０２に格納する。
【００３９】
続いて、ステップＳ５０２では、前記電子メールに記述されたリンク情報を受信して、ＲＡＭ２０２に格納する。
【００４０】
続いて、ステップＳ５０３では、ステップＳ５０２においてＲＡＭ２０２に格納されたリンク情報に基づいて、ネットワークアクセス手段２１７によってサーバー装置５からディジタル画像情報を取得して、ＲＡＭ２０２に格納する。
【００４１】
続いて、ステップＳ５０４では、ステップＳ５０１においてＲＡＭ２０２に格納された電子メール情報と、ステップＳ５０３においてＲＡＭ２０２に格納されたディジタル画像情報とを、表示手段２０４によって液晶（ＬＣＤ）に表示する。この際の表示手段２０４による表示例としては、図４に示すものと同様となる。
【００４２】
続いて、ステップＳ５０５では、電子メール情報選択手段２１３によって選択された電子メール情報と、ステップＳ５０３でＲＡＭ２０２に格納されたディジタル画像情報とを合成手段２１２によって合成し、当該合成画像（合成情報）を画像出力部２０５によってＲＡＭ２０２に格納する。
【００４３】
続いて、ステップＳ５０６では、印刷制御部２０７を介して印刷部２０８を駆動し、予備吐出、目詰まり解消、ノズルの回復などを行い、ステップＳ５０５においてＲＡＭ２０２に記憶された合成画像（合成情報）を印刷する。
【００４４】
続いて、ステップＳ５０７では、印刷部２０８で印刷された記録紙を排紙部１０４から排出する。
【００４５】
以上のステップＳ５０１〜ステップＳ５０７までの処理を経ることにより、第３の実施形態に係るプリンタ装置の動作が終了する。
【００４６】
（第３の実施形態）
図６は、本発明の第３の実施形態に係るプリンタ装置の動作を示すフローチャートである。
まず、ステップＳ６０１では、プリンタ装置１において、携帯電話装置２より電子メール情報、例えば、送信者の名前、受信者の名前、送信日時、受信日時、送信者のメールアドレス、受信者のメールアドレス、件名、本文などを受信して、ＲＡＭ２０２に格納する。
【００４７】
続いて、ステップＳ６０２では、前記電子メールに添付されたディジタル画像情報を受信して、ＲＡＭ２０２に格納する。
【００４８】
続いて、ステップＳ６０３では、ステップＳ６０１においてＲＡＭ２０２に格納された電子メール情報と、ステップＳ６０２においてＲＡＭ２０２に格納されたディジタル画像情報とを、表示手段２０４によって液晶（ＬＣＤ）に表示する。この際の表示手段２０４による表示例としては、図４に示すものと同様となる。
【００４９】
続いて、ステップＳ６０４では、電子メール情報選択手段２１３において、入力部２０６からの入力に基づいて、前記電子メール情報（送信者又は受信者の名前、日時、件名、本文、メールアドレスなど）の中から、印刷対象とする電子メール情報を選択する。
【００５０】
続いて、ステップＳ６０５では、印刷対象とする電子メール情報の選択が終了したか否かを判断する。ここでの判断は、電子メール情報の選択が終了したことを示すキー入力があるか否かで行われる。この判断の結果、印刷対象とする電子メール情報の選択が終了してしない、すなわち、印刷対象とする電子メール情報の選択中である場合には、ステップＳ６０３に戻り、入力部２０６の入力に応じて選択された電子メール情報を表示手段２０４によって液晶（ＬＣＤ）に囲み線で囲むなどして強調して表示し、当該電子メール情報が選択中であることをユーザーに知らしめる。
【００５１】
図７は、印刷対象とする電子メール情報が選択された際の表示手段による表示例を示した図である。
図７には、電子メールの件名７０１と、電子メールの本文７０２と、送信者の名前７０３と、送信者のメールアドレス７０４と、電子メールの受信日時７０５と、電子メールに添付されたディジタル画像７０６とが示されており、また、印刷対象とする電子メール情報７０７として、送信者の名前７０３と、電子メールの受信日時７０５とが選択中であることが示されている。ここで、印刷対象とする電子メール情報の選択は、1つに限らず複数個選択できるものとし、ある電子メール情報に対するキー入力にがある度に、選択か否かをトグルで切り替えを行うことによりなされる。
【００５２】
一方、ステップＳ６０５の判断の結果、印刷対象とする電子メール情報の選択が終了した場合には、ステップＳ６０６に進んで、ステップＳ６０４において電子メール情報選択手段によって選択された電子メール情報と、ステップＳ６０２でＲＡＭ２０２に格納されたディジタル画像情報とを合成手段２１２によって合成し、当該合成画像（合成情報）を画像出力部２０５によってＲＡＭ２０２に格納する。
【００５３】
続いて、ステップＳ６０７では、印刷制御部２０７を介して印刷部２０８を駆動し、予備吐出、目詰まり解消、ノズルの回復などを行い、ステップＳ６０６においてＲＡＭ２０２に記憶された合成画像（合成情報）を印刷する。
【００５４】
続いて、ステップＳ６０８では、印刷部２０８で印刷された記録紙を排紙部１０４から排出する。
【００５５】
図８は、合成手段２１２により合成された合成画像（合成情報）の印刷結果を示した図である。
図８には、印刷対象として選択された、電子メールの送信者の名前８０１及び電子メールの受信日時８０２と、電子メールに添付されたディジタル画像情報８０３との合成画像（合成情報）が記録紙に印刷されている。
【００５６】
以上のステップＳ６０１〜ステップＳ６０８までの処理を経ることにより、第３の実施形態に係るプリンタ装置の動作が終了する。
【００５７】
（第４の実施形態）
図９は、本発明の第４の実施形態に係るプリンタ装置の動作を示すフローチャートである。
まず、ステップＳ９０１では、プリンタ装置１において、携帯電話装置２より電子メール情報、例えば、送信者の名前、受信者の名前、送信日時、受信日時、送信者のメールアドレス、受信者のメールアドレス、件名、本文などを受信して、ＲＡＭ２０２に格納する。
【００５８】
続いて、ステップＳ９０２では、前記電子メールに添付されたディジタル画像情報を受信し、ＲＡＭ２０２に格納する。
【００５９】
続いて、ステップＳ９０３では、ステップＳ９０１においてＲＡＭ２０２に格納された電子メール情報と、ステップＳ９０２においてＲＡＭ２０２に格納されたディジタル画像情報とを、ＲＯＭ２１０に格納されるレイアウト情報２１５に基づいてレイアウト手段２１６でレイアウトし、これを表示手段２０４によって液晶（ＬＣＤ）に表示する。
【００６０】
図１０は、レイアウト手段２１６で用いるレイアウト情報を説明するための図である。
図１０には、ＲＯＭ２１０に格納されるレイアウト情報１００１と、電子メールの件名のレイアウト位置１００２と、電子メールの本文のレイアウト位置１００３と、送信者の名前のレイアウト位置１００４と、送信者のメールアドレスのレイアウト位置１００５と、電子メールの受信日時のレイアウト位置１００６と、電子メールに添付されたディジタル画像のレイアウト位置１００７とが示されている。
【００６１】
続いて、ステップＳ９０４では、ステップＳ９０１においてＲＡＭ２０２に格納された電子メール情報と、ステップＳ９０２においてＲＡＭ２０２に格納されたディジタル画像情報とを、合成手段２１２によってＲＯＭ２１０に格納されるレイアウト情報２１５に基づいたレイアウトで合成し、当該合成画像（合成情報）を画像出力部２０５によってＲＡＭ２０２に格納する。
【００６２】
図１１は、合成手段２１２において、レイアウト情報２１５に基づいてレイアウトで電子メール情報及びディジタル画像情報を合成した際の様子を示した図である。
図１１には、レイアウト情報２１５に基づいて配置された電子メールの件名１１０１と、レイアウト情報２１５に基づいて配置された電子メールの本文１１０２と、レイアウト情報２１５に基づいて配置された送信者の名前１１０３と、レイアウト情報２１５に基づいて配置された送信者のメールアドレス１１０４と、レイアウト情報２１５に基づいて配置された電子メールの受信日時１１０５と、レイアウト情報２１５に基づいて配置された電子メールに添付されたディジタル画像１１０６とが示されている。
【００６３】
続いて、ステップＳ９０５では、印刷制御部２０７を介して印刷部２０８を駆動し、予備吐出、目詰まり解消、ノズルの回復などを行い、ステップＳ９０４においてＲＡＭ２０２に記憶された合成画像（合成情報）を印刷する。
【００６４】
続いて、ステップＳ９０６では、印刷部２０８で印刷された記録紙を排紙部１０４から排出する。
【００６５】
以上のステップＳ９０１〜ステップＳ９０６までの処理を経ることにより、第４の実施形態に係るプリンタ装置の動作が終了する。
【００６６】
（第５の実施形態）
図１２は、本発明の第５の実施形態に係るプリンタ装置の動作を示すフローチャートである。
まず、ステップＳ１２０１では、プリンタ装置１において、携帯電話装置２より電子メール情報、例えば、送信者の名前、受信者の名前、送信日時、受信日時、送信者のメールアドレス、受信者のメールアドレス、件名、本文などを受信して、ＲＡＭ２０２に格納する。
【００６７】
続いて、ステップＳ１２０２では、携帯電話装置２より前記電子メールに添付されたディジタル画像情報を受信して、ＲＡＭ２０２に格納する。
【００６８】
続いて、ステップＳ１２０３では、携帯電話装置２よりレイアウト情報を受信し、ＲＡＭ２０２に格納する。この際のレイアウト情報としては、図１０に示すものと同様となる。
【００６９】
続いて、ステップＳ１２０４では、ステップＳ１２０１においてＲＡＭ２０２に格納された電子メール情報と、ステップＳ１２０２においてＲＡＭ２０２に格納されたディジタル画像情報とを、ステップＳ１２０３においてＲＡＭ２０２に格納されたレイアウト情報に基づいてレイアウト手段２１６でレイアウトし、これを表示手段２０４によって液晶（ＬＣＤ）に表示する。
【００７０】
続いて、ステップＳ１２０５では、ステップＳ１２０１においてＲＡＭ２０２に格納された電子メール情報と、ステップＳ１２０２においてＲＡＭ２０２に格納されたディジタル画像情報とを、ステップＳ１２０３でＲＡＭ２０２に格納されたレイアウト情報２１５に基づいたレイアウトで合成手段２１２によって合成し、当該合成画像（合成情報）を画像出力部２０５によってＲＡＭ２０２に格納する。この合成手段２１２によるレイアウト情報２１５に基づいた電子メール情報及びディジタル画像情報の合成は、図１１に示すものと同様となる。
【００７１】
続いて、ステップＳ１２０６では、印刷制御部２０７を介して印刷部２０８を駆動し、予備吐出、目詰まり解消、ノズルの回復などを行い、ステップＳ１２０５においてＲＡＭ２０２に記憶された合成画像（合成情報）を印刷する。
【００７２】
続いて、ステップＳ１２０７では、印刷部２０８で印刷された記録紙を排紙部１０４から排出する。
【００７３】
以上のステップＳ１２０１〜ステップＳ１２０７までの処理を経ることにより、第５の実施形態に係るプリンタ装置の動作が終了する。
【００７４】
（第６の実施形態）
図１３は、本発明の第６の実施形態に係るプリンタ装置の動作を示すフローチャートである。
まず、ステップＳ１３０１では、プリンタ装置１において、携帯電話装置２より電子メール情報、例えば、送信者の名前、受信者の名前、送信日時、受信日時、送信者のメールアドレス、受信者のメールアドレス、件名、本文などを受信して、ＲＡＭ２０２に格納する。
【００７５】
続いて、ステップＳ１３０２では、前記電子メールに添付されたディジタル画像情報を受信して、ＲＡＭ２０２に格納する。
【００７６】
続いて、ステップＳ１３０３では、ＲＯＭ２１０に格納されている複数のレイアウト情報２１５を表示手段２０４によって液晶（ＬＣＤ）に表示する。
【００７７】
図１４は、表示手段２０４により液晶（ＬＣＤ）に表示された複数のレイアウト情報を示す図である。
図１４には、複数のレイアウト情報１４０７〜１４１０が示されている。そして、各レイアウト情報１４０７〜１４１０には、ディジタル画像情報のレイアウト位置１４０１と、電子メールの件名のレイアウト位置１４０２と、電子メールの本文のレイアウト位置１４０３と、電子メールの送信者の名前のレイアウト位置１４０４と、電子メールの送信者のメールアドレスのレイアウト位置１４０５と、電子メールの受信日時のレイアウト位置１４０６とが示されている。
【００７８】
続いて、ステップＳ１３０４では、レイアウト選択手段２１４において、ＲＯＭ２１０に格納されている複数のレイアウト情報２１５の中から、入力部２０６からの入力に基づいて所望のレイアウト情報を選択し、選択されたレイアウト情報をＲＡＭ２０２に格納する。
【００７９】
続いて、ステップＳ１３０５では、ステップＳ１３０１においてＲＡＭ２０２に格納された電子メール情報と、ステップＳ１３０２においてＲＡＭ２０２に格納されたディジタル画像情報とを、ステップＳ１３０４においてＲＡＭ２０２に格納されたレイアウト情報に基づいてレイアウト手段２１６でレイアウトし、これを表示手段２０４によって液晶（ＬＣＤ）に表示する。
【００８０】
続いて、ステップＳ１３０６では、ステップＳ１３０１においてＲＡＭ２０２に格納された電子メール情報と、ステップＳ１３０２においてＲＡＭ２０２に格納されたディジタル画像情報とを、ステップＳ１３０４においてＲＡＭ２０２に格納されたレイアウト情報に基づいたレイアウトで合成手段２１２によって合成し、当該合成画像（合成情報）を画像出力部２０５によってＲＡＭ２０２に格納する。この合成手段２１２によるレイアウト情報２１５に基づいた電子メール情報及びディジタル画像情報の合成は、図１１に示すものと同様となる。
【００８１】
続いて、ステップＳ１３０７では、印刷制御部２０７を介して印刷部２０８を駆動し、予備吐出、目詰まり解消、ノズルの回復などを行い、ステップＳ１３０５においてＲＡＭ２０２に記憶された合成画像（合成情報）を印刷する。
【００８２】
続いて、ステップＳ１３０８では、印刷部２０８で印刷された記録紙を排紙部１０４から排出する。
【００８３】
以上のステップＳ１３０１〜ステップＳ１３０８までの処理を経ることにより、第６の実施形態に係るプリンタ装置の動作が終了する。
【００８４】
（第７の実施形態）
図１５は、本発明の第７の実施形態に係るプリンタ装置の動作を示すフローチャートである。
まず、ステップＳ１５０１では、プリンタ装置１において、携帯電話装置２より電子メール情報、例えば、送信者の名前、受信者の名前、送信日時、受信日時、送信者のメールアドレス、受信者のメールアドレス、件名、本文などの受信処理を終了するか否かを判断する。この判断の結果、携帯電話装置２より電子メール情報の受信処理を終了しない、すなわち、当該電子メール情報の受信処理中である場合には、ステップＳ１５０２に進んで、携帯電話装置２より受信した電子メール情報をＲＡＭ２０２に格納する。
【００８５】
続いて、ステップＳ１５０３では、前記電子メールに添付されたディジタル画像情報をＲＡＭ２０２に格納しする。その後、ステップＳ１５０１に戻り、電子メール情報の受信処理を終了すると判断されるまで、ステップＳ１５０１〜ステップＳ１５０３の処理を繰り返す。
【００８６】
一方、ステップＳ１５０１での判断の結果、電子メール情報の受信処理を終了すると判断された場合には、ステップＳ１５０４に進む。
【００８７】
ステップＳ１５０４では、ステップＳ１５０２においてＲＡＭ２０２において格納された複数の電子メール情報と、ステップＳ１５０３においてＲＡＭ２０２において格納された複数のディジタル画像情報とを、表示手段２０４によって液晶（ＬＣＤ）にインデックス表示する。
【００８８】
図１６は、表示手段２０４によるインデックス表示例を示した図である。
図１６には、インデックス表示画像（インデックス表示情報）１６０１〜１６０８が示されている。各インデックス表示画像には、それぞれ電子メール情報１６０９と、ディジタル画像情報１６１０とが示されている。
【００８９】
続いて、ステップＳ１５０５では、ステップＳ１５０２においてＲＡＭ２０２に格納された各電子メール情報と、ステップＳ１５０３においてＲＡＭ２０２に格納された各ディジタル画像情報とを合成手段２１２によって合成し、当該合成画像（合成情報）を画像出力部２０５によってＲＡＭ２０２に格納する。この合成処理をインデックス枚数分繰り返して行う。
【００９０】
続いて、ステップＳ１５０６では、印刷制御部２０７を介して印刷部２０８を駆動し、予備吐出、目詰まり解消、ノズルの回復などを行い、ステップＳ１５０５においてＲＡＭ２０２に記憶されたインデックス合成画像（インデックス合成情報）を印刷する。
【００９１】
続いて、ステップＳ１５０７では、印刷部２０８で印刷された記録紙を排紙部１０４から排出する。
【００９２】
以上のステップＳ１５０１〜ステップＳ１５０７までの処理を経ることにより、第７の実施形態に係るプリンタ装置の動作が終了する。
【００９３】
（第８の実施形態）
図１７は、本発明の第８の実施形態に係るプリンタ装置の動作を示すフローチャートである。
まず、ステップＳ１７０１では、プリンタ装置１において、携帯電話装置２より電子メール情報、例えば、送信者の名前、受信者の名前、送信日時、受信日時、送信者のメールアドレス、受信者のメールアドレス、件名、本文などを受信して、ＲＡＭ２０２に格納する。
【００９４】
続いて、ステップＳ１７０２では、前記電子メールに添付されたディジタル画像情報を受信し、ＲＡＭ２０２に格納する。
【００９５】
続いて、ステップＳ１７０３では、ステップＳ１７０１においてＲＡＭ２０２に格納された電子メール情報と、ステップ１７０２においてＲＡＭ２０２に格納されたディジタル画像情報とを、表示手段２０４によって液晶（ＬＣＤ）に表示する。この際の表示手段２０４による表示例としては、図４に示すものと同様となる。
【００９６】
続いて、ステップＳ１７０４では、電子メール情報選択手段２１３によって選択された電子メール情報と、ステップＳ１７０２でＲＡＭ２０２に格納されたディジタル画像情報とを前記合成手段２１２によって合成し、当該合成画像（合成情報）を画像出力部２０５によってＲＡＭ２０２に格納する。
【００９７】
続いて、ステップＳ１７０５では、印刷制御部２０７を介して印刷部２０８を駆動し、予備吐出、目詰まり解消、ノズルの回復などを行い、ステップＳ１７０４においてＲＡＭ２０２に記憶された合成画像（合成情報）を印刷する。
【００９８】
続いて、ステップＳ１７０６では、印刷部２０８で印刷された記録紙を排紙部１０４から排出する。
【００９９】
続いて、ステップＳ１７０７では、送受信手段２１１を介して当該プリンタ装置２から携帯電話装置２へ前記ディジタル画像情報を削除するコマンドを送信する。
【０１００】
続いて、ステップＳ１７０８では、携帯電話装置２において、削除コマンドを受けた印刷済みのディジタル画像情報を削除する。
【０１０１】
以上のステップＳ１７０１〜ステップＳ１７０８までの処理を経ることにより、第８の実施形態に係るプリンタ装置の動作が終了する。
【０１０２】
（本発明の他の実施形態）
上述した第１の実施形態〜第８の実施形態に係るプリンタ装置は、インクジェットプリンタに限らず、記録紙に印刷処理を行う手段を具備したことを特徴とする装置であれば、レーザープリンタや熱転写式プリンタであってもよい。
【０１０３】
また、第１の実施形態〜第８の実施形態において、電子メール情報としては、電子メールの件名、電子メールの本文、電子メールの送信者又は受信者の名前、電子メールの受信日時、電子メールの送信者のメールアドレス等に限らず、一般に電子メールに関する情報となるものであればよい。例えば、電子メール受信者のメールアドレス、電子メールの添付ファイルの作成日時などその他の情報であってもよい。
【０１０４】
また、第１の実施形態〜第８の実施形態においては、電子メール情報とディジタル画像情報との合成処理は、プリンタ装置１側で行っているが、本発明においては、当該合成処理を携帯電話装置２側で行って、携帯電話装置２から合成画像を受信して印刷を行うようにした形態も含まれる。
【０１０５】
また、第２の実施形態においては、リンク情報に基づいたサーバー装置５からのディジタル画像情報の取得は、プリンタ装置１側で行っているが、本発明においては、携帯電話装置２側で取得するようにした形態も含まれる。
【０１０６】
また、第３の実施形態においては、電子メール情報の選択は、プリンタ装置１側で行っているが、本発明においては、携帯電話装置２側で行うようにした形態も含まれる。
【０１０７】
また、本発明の実施形態でのレイアウト情報の１つは、位置、色彩、色調及び濃度のうちいずれか、又は、それらのうちの１つ以上を含むテンプレートである。
【図面の簡単な説明】
【０１０８】
【図１】本発明の第１の実施形態に係るプリンタ装置を含む印刷システムの概略構成図である。
【図２】本発明の第１の実施形態に係るプリンタ装置の概略構成を示すブロック図である。
【図３】本発明の第１の実施形態に係るプリンタ装置の動作を示すフローチャートである。
【図４】表示手段による表示例を示した図である。
【図５】本発明の第２の実施形態に係るプリンタ装置の動作を示すフローチャートである。
【図６】本発明の第３の実施形態に係るプリンタ装置の動作を示すフローチャートである。
【図７】印刷対象とする電子メール情報が選択された際の表示手段による表示例を示した図である。
【図８】合成手段により合成された合成画像（合成情報）の印刷結果を示した図である。
【図９】本発明の第４の実施形態に係るプリンタ装置の動作を示すフローチャートである。
【図１０】レイアウト手段で用いるレイアウト情報を説明するための図である。
【図１１】合成手段において、レイアウト情報に基づいてレイアウトで電子メール情報及びディジタル画像情報を合成した際の様子を示した図である。
【図１２】本発明の第５の実施形態に係るプリンタ装置の動作を示すフローチャートである。
【図１３】本発明の第６の実施形態に係るプリンタ装置の動作を示すフローチャートである。
【図１４】表示手段により液晶（ＬＣＤ）に表示された複数のレイアウト情報を示す図である。
【図１５】本発明の第７の実施形態に係るプリンタ装置の動作を示すフローチャートである。
【図１６】表示手段によるインデックス表示例を示した図である。
【図１７】本発明の第８の実施形態に係るプリンタ装置の動作を示すフローチャートである。
【符号の説明】
【０１０９】
１  プリンタ装置
２  携帯電話装置
３  ケーブル
４  ネットワークケーブル
５  サーバー装置
１０１  表示部
１０２  キー入力部
１０３  紙搬送部
１０４  排紙部
１０５  入出力端子部
１０６  表示部
１０７  キー入力部
１０８  アンテナ
１０９  入出力端子部
２０１  ＣＰＵ
２０２  ＲＡＭ
２０３  電源スイッチ（電源ＳＷ）
２０４  表示手段
２０５  画像出力部
２０６  入力部
２０７  印刷制御部
２０８  印刷部
２０９  接続手段
２１０  プログラムＲＯＭ
２１１  送受信手段
２１２  合成手段
２１３  電子メール情報選択手段
２１４  レイアウト情報選択手段
２１５  レイアウト情報
２１６  レイアウト手段
２１７  ネットワークアクセス手段
２１８  ネットワーク接続手段
２１９  ディジタル画像情報削除手段
【図１】
2006341569.tif 000003
【図２】
2006341569.tif 000004
【図３】
2006341569.tif 000005
【図４】
2006341569.tif 000006
【図５】
2006341569.tif 000007
【図６】
2006341569.tif 000008
【図７】
2006341569.tif 000009
【図８】
2006341569.tif 000010
【図９】
2006341569.tif 000011
【図１０】
2006341569.tif 000012
【図１１】
2006341569.tif 000013
【図１２】
2006341569.tif 000014
【図１３】
2006341569.tif 000015
【図１４】
2006341569.tif 000016
【図１５】
2006341569.tif 000017
【図１６】
2006341569.tif 000018
【図１７】
2006341569.tif 000019